(57)【要約】【課題】１方の側にＳＡＴＡインターフェース・ピン割当に従う信号区分と電力区分を含み、信号区分のひとつの側は信号ケーブルに結合されて末端に信号コネクタが配設され、電力区分のもうひとつの側には少なくとも１つの電力入力コネクタが結合されているＳＡＴＡインターフェース・リレー・コネクタを提供すること。【解決手段】ＳＡＴＡインターフェース・リレー・コネクタであって、ＳＡＴＡインターフェース・ピン割当に従う信号区分と電源区分を含み、前記信号区分が１つの側で信号ケーブルに結合されて一端に信号コネクタを有し、前記電源区分が他の側で少なくとも１つの電力入力コネクタに結合されていることからなる。【選択図】　図１
0003097777.tif 000002
【実用新案登録請求の範囲】
【請求項１】
ＳＡＴＡインターフェース・リレー・コネクタであって、ＳＡＴＡインターフェース・ピン割当に従う信号区分と電源区分を含み、前記信号区分が１つの側で信号ケーブルに結合されて一端に信号コネクタを有し、前記電源区分が他の側で少なくとも１つの電力入力コネクタに結合されていることを特徴とするＳＡＴＡインターフェース・リレー・コネクタ。
【請求項２】
前記電力入力コネクタが電力ケーブルによって前記電源区分と結合されていることを特徴とする請求項１に記載のＳＡＴＡインターフェース・リレー・コネクタ。
【請求項３】
前記電力コネクタが、１２Ｖ、５Ｖ、およびグランド・ラインを有するソケットであり、それぞれ前記電源区分のピン第１３番〜第１５番、ピン第７番〜第９番、ピン第４番〜第６番、ピン第１０番〜第１２番に結合されていることを特徴とする請求項２に記載のＳＡＴＡインターフェース・リレー・コネクタ。
【請求項４】
前記電力コネクタが、前記電源区分のピン第１番〜第３番に結合されている３．３Ｖソケットであることを特徴とする請求項１に記載のＳＡＴＡインターフェース・リレー・コネクタ。
【請求項５】
前記リレー中継器が、接続部材によって外部接続装置を接続するために両側各々に突出する耳を有していることを特徴とする請求項１に記載のＳＡＴＡインターフェース・リレー・コネクタ。
【請求項６】
前記突出する耳が、前記接続部材を通過させる耳穴を有していることを特徴とする請求項５に記載のＳＡＴＡインターフェース・リレー・コネクタ。
【請求項７】
さらに外部フレームと結合した後部パネルを含み、前記リレー・コネクタが、内側に配設された信号区分および電源区分を有し、前記信号区分がその外側で信号ケーブルと結合されて一端に信号コネクタを有し、前記電源区分がその外側で電力ケーブルを有して一端に電力コネクタを有し、エンクロージャを外部フレームの内外へ動かすことによって、前記リレー・コネクタおよび前記エンクロージャの信号および／または電源をそれぞれ接続し、および取り外すことを特徴とする請求項１に記載のＳＡＴＡインターフェース・リレー・コネクタ。
【請求項８】
前記エンクロージャが、リレー・コネクタを通過させて前記データ記憶装置の信号および前記電力コネクタを受容するための、前記リレー・コネクタと一致する貫通孔を有することを特徴とする請求項７に記載のＳＡＴＡインターフェース・リレー・コネクタ。
【請求項９】
前記電力コネクタが、１２Ｖ、５Ｖ、および２つのグランド・ラインを有するソケットであることを特徴とする請求項７に記載のＳＡＴＡインターフェース・リレー・コネクタ。
【考案の詳細な説明】
【０００１】
【考案の属する技術分野】
本考案は、リレー・コネクタに関し、さらに詳細には外部装置とコンピュータ間のリレー接続を提供するＳＡＴＡインターフェース・リレー・コネクタに関する。
【０００２】
【従来の技術】
コンピュータの発展は確かにわれわれに利便さをもたらすものである。コンピュータ・ソフトウェアおよびハードウェアの開発者達が絶え間なく新製品を開発してきたので、これまでに多くのコンピュータ周辺機器が登場してきた。
【０００３】
コンピュータの応用が普及するにつれて、デスクトップ・コンピュータおよびノートブック・コンピュータの通信およびマルチメディアの用途で、５．２５インチＣＤ　ＲＯＭ、ＤＶＤ　ＲＯＭ、ＣＤ−ＲＷドライブなどの周辺装置が、モバイル・ラックや高速伝送のためのＵＳＢおよびＩＥＥＥ１３９４（ファイア・ワイア）・インターフェースと同様使用されている。したがって、コンピュータと周辺装置を接続するために外部エンクロージャを用いることはもはや夢ではない。
【０００４】
高速伝送の必要性から、１．５Ｇｂ／ｓに及ぶ高速信号伝送速度をもつシリアルＡＴＡ（ＳＡＴＡ）インターフェースが開発されたが、これはＩＤＥ、ＵＳＢ、または１３９４インターフェース伝送速度よりもはるかに速い。例えば、従来技術のＩＤＥインターフェース・モバイル・ラックはエンクロージャの受け入れまたは取り外しのための外部フレームを有し、ハードディスク・ドライブなどエンクロージャのデータ記憶装置はメイン・コンピュータ・システムと信号および電源の接続または切断を行うように構成されている。したがって、外部フレームは通常、その裏面に回路基板、その外側にそれぞれ配設された電力入力ソケットおよび標準ＩＤＥインターフェース・コネクタ、内側に回路レイアウトによって前述の信号および電源と一体化された５０ピンのコネクタを備えている。その裏面外側のエンクロージャはエンクロージャと接続可能な外部コネクタを有し、内部で信号と電源は標準ＩＤＥインターフェース・コネクタと電力出力ソケットに分離される。知られているように、接続ポイントまたはリレーの数が信号伝送プロセス中にあまり多いと、信号を劣化または遅延させ、あるいは伝送の失敗（即ちシステム・クラッシュ）さえ招く。特に、従来技術の殆どのリレー・コネクタは信号変換、集積化、および入力／出力機能を備える回路基板を有している。回路基板の回路レイアウトの要素に起因して、高速伝送に要求される安定性に対しては対処することが困難であり、したがって従来技術は改善の必要がある。
【０００５】
上述のことから、コンピュータの可動ラックおよび外部接続装置の設計、開発、製造、販売において多年に渉る実地の経験を有する本明細書の本発明者は、一連の研究開発を実施して、回路基板に起因して安定した高速伝送を実行できない従来のリレー・コネクタの設計を高度化し、ついに本考案の「ＳＡＴＡインターフェース・リレー・コネクタおよびその応用」を発明することに成功した。
【０００６】
【考案が解決しようとする課題】
本考案の一目的は、ＳＡＴＡインターフェース・リレー・コネクタを提供することであって、１方の側にＳＡＴＡインターフェース・ピン割当に従う信号区分と電力区分を含み、信号区分のひとつの側は信号ケーブルに結合されて末端に信号コネクタが配設され、電力区分のもうひとつの側には少なくとも１つの電力入力コネクタが結合されている。
【０００７】
本考案の第２の目的は、電力ケーブルが電力コネクタと電源区分の間に接続されている、ＳＡＴＡインターフェース・リレー・コネクタを提供することである。
【０００８】
本考案の他の目的は、ＳＡＴＡインターフェース・リレー・コネクタを提供することであって、電力コネクタにおいて、電力入力コネクタが１２Ｖ、５Ｖ、およびグランド・ラインを備えるソケットであり、それぞれ前記電源区分のピン第１３番〜第１５番、ピン第７番〜第９番、ピン第４番〜第６番、ピン第１０番〜第１２番に結合されており、他の電力入力コネクタは電源区分のピン第１番〜第３番に結合する３．３Ｖソケットである。
【０００９】
さらに本考案の他の目的は、さらに外部フレームを含むＳＡＴＡインターフェース・リレー・コネクタを提供することであって、エンクロージャをデータ記憶装置の信号／または電源の接続または切断のために外部フレームに差込みまたは取り外すことができるように、リレー・コネクタが外部フレームの後部パネルに配設されている。
【００１０】
さらに本考案の他の目的は、ＳＡＴＡインターフェース・リレー・コネクタを提供することであって、エンクロージャが、データ記憶装置の信号および電源コネクタを接続するために孔を経由してリレー・コネクタを通すことのできる、リレー・コネクタと一致する貫通孔を有している。
【００１１】
【課題を解決するための手段】
前記目的を達成するため、本考案のＳＡＴＡインターフェース・リレー・コネクタは、ＳＡＴＡインターフェース・ピン割当に従う信号区分と電源区分を含み、前記信号区分が１つの側で信号ケーブルに結合されて一端に信号コネクタを有し、前記電源区分が他の側で少なくとも１つの電力入力コネクタに結合されていることからなる。
又、前記電力入力コネクタが電力ケーブルによって前記電源区分と結合されていることが好適である。
又、前記電力コネクタが、１２Ｖ、５Ｖ、およびグランド・ラインを有するソケットであり、それぞれ前記電源区分のピン第１３番〜第１５番、ピン第７番〜第９番、ピン第４番〜第６番、ピン第１０番〜第１２番に結合されていることが好適である。
又、前記電力コネクタが、前記電源区分のピン第１番〜第３番に結合されている３．３Ｖソケットであることが好適である。
又、前記リレー中継器が、接続部材によって外部接続装置を接続するために両側各々に突出する耳を有していることが好適である。
又、前記突出する耳が、前記接続部材を通過させる耳穴を有していることが好適である。
又、さらに外部フレームと結合した後部パネルを含み、前記リレー・コネクタが、内側に配設された信号区分および電源区分を有し、前記信号区分がその外側で信号ケーブルと結合されて一端に信号コネクタを有し、前記電源区分がその外側で電力ケーブルを有して一端に電力コネクタを有し、エンクロージャを外部フレームの内外へ動かすことによって、前記リレー・コネクタおよび前記エンクロージャの信号および／または電源をそれぞれ接続し、および取り外すことが好適である。
又、前記エンクロージャが、リレー・コネクタを通過させて前記データ記憶装置の信号および前記電力コネクタを受容するための、前記リレー・コネクタと一致する貫通孔を有することが好適である。
さらに、前記電力コネクタが、１２Ｖ、５Ｖ、および２つのグランド・ラインを有するソケットであることが好適である。
【００１２】
【考案の実施の形態】
本考案の他の特徴および利点は添付の図面を参照する以下の好ましい実施形態の詳細な説明によって明らかになろう。
本考案には図１を参照する。リレー・コネクタ１は固定形状の物体であって、ＳＡＴＡインターフェース・ピン割当に従う信号区分１１ａおよび電源区分１２ａを備える中継コネクタ１１を含み、信号区分１１ａおよび電源区分１２ａはそれぞれ７ピン端子および１５ピン端子を有する。信号区分１１ａおよび電源区分１２ａは信号ケーブル１１ｂおよび２つのソケット（１つは１２Ｖと５Ｖ、他は３．３Ｖ）など、少なくとも１つの電力入力コネクタ１２ｂ、１２ｃと他の側で直接結合されている。信号ケーブル１１ｂはコンピュータのマザーボードの信号およびインターフェース・カードに接続するための信号コネクタ１１ｃを有する。電力入力コネクタ１２ｂの１２Ｖ、５Ｖおよびグランド・ラインはそれぞれピン第１３番〜第１５番、ピン第７番〜第９番、ピン第４番〜第６番、ピン第１０番〜第１２番にそれぞれ結合されており、他の電力入力コネクタ１２ｃの３．３Ｖは外部接続装置２へ電力を直接供給するために電源区分１２ａのピン第１番〜第３番に結合されている。さらに、電力コネクタ１２ｂおよび電源区分１２ａは電力ケーブル１２ｄによって接続されており、同じ電力確保の効果を得ている。
【００１３】
リレー・コネクタ１の利点は、信号区分１１ａと信号コネクタ１１ｃの間の接続のために信号ケーブル１１ｂのみがあり、信号区分と信号コネクタ１１ｃの間に回路基板あるいは接触ポイントがないことである。したがって、それは信号の高速伝送中に遅い動きや遅延状態を起こさない。
【００１４】
さらにリレー・コネクタ１は両側各々に突出する耳１３を有し、ねじまたはリベットなど従来の接続部材が、耳穴１３１を通して外部接続装置２を固定するのに用いられる。しかし、接続方法は上述のものに限定されず、外部接続装置２を接続するには留め金法または締め金法も含まれる。
【００１５】
図２において、外部接続装置２はＳＡＴＡインターフェース・ハードディスク・ドライブ、光ディスク・ドライブ、ＣＤ−ＲＯＭドライブなどのデータ記憶装置、またはハウジング２１に取り付けた可動ラックのエンクロージャをも有し、また、中継コネクタ１１を通して信号および電力コネクタに接続し、信号および／または電力の接続を構成するために、データ記憶装置の信号および電力コネクタに対応する後部パネル２２の位置に配設された貫通孔２２１を有している。
【００１６】
図３から５を参照されたい。図においてリレー・コネクタ１は外部フレーム３１およびエンクロージャ３２を含む可動ラック３に使用することができる。
【００１７】
外部フレームはコンピュータ・システムの取り付けスペースに取り付けられた中空のフレームであり、中空チャンバ３１１の寸法は、取り付けおよび取り外しを行うエンクロージャ３２と一致している。本考案の特徴は、リレー・コネクタを収容し位置決めを行うために溝穴３１３が外部フレーム３１の後部パネル３１２の適切な位置に配設されていることにある。信号ケーブル１１ｂは約５０ｃｍから１００ｃｍの長さをもち、電力ケーブル１２ｃの長さは約２０ｃｍで接続を容易にする。加えて、電力コネクタ１２ｂは１２Ｖ、５Ｖ、および２つのグランド（ＧＮＤ）ラインのソケットで、電源から延びる電力出力コネクタと完全に互換性があり、アダプタを取り付ける面倒が不要である。したがって、回路は電源区分１２ａの１２Ｖと５Ｖの端子を経由して接続することができる。
【００１８】
エンクロージャはＳＡＴＡインターフェース・ハードディスクなどのデータ記憶装置を収容する箱型の筐体で、リレー中継器１１と一致する貫通孔３２２を有し、データ記憶装置の信号および電力コネクタと接続して電気的に接続するためにリレー中継器１１を通すことができる。
【００１９】
したがって、本考案を実施することによって、回路基板がリレー・コネクタに組み込まれていないので、製造と研究開発のコストが大幅に削減できる。加えて、信号ケーブルはリレー・コネクタの信号区分と信号コネクタの間に直接結合されて回路レイアウトまたは回路接続に起因する信号の低速化または遅延状態が回避され、期待する安定した高速信号伝送の機能を有する。さらに、本考案の少なくとも１つの電力入力コネクタを外部接続装置の電圧要求に応じて選択的に選び、外部接続装置の動作電圧を与えることができる。さらに、外部フレームに固定されたリレー・コネクタはエンクロージャへのアクセス機能を有し、データ記憶装置の携帯性とプラグ・アンド・プレイ機能を提供するものであるが、これはこの種の製品にとって好適で新規な考案である。
【００２０】
本考案を最も実際的な好ましい実施形態によって説明してきたが、本考案は開示した実施形態によって制限されるものではなく、広範な解釈および等価な構成の精神および範囲から逸脱することなく多様な構成が包含されることを理解すべきである。
【図面の簡単な説明】
【図１】本考案のリレー・コネクタの透視図である。
【図２】外部接続装置に接続された本考案のリレー・コネクタの説明図である。
【図３】可動ラックに応用された本考案のリレー・コネクタの透視図である。
【図４】図３の組み立て構造の透視図である。
【図５】図３の組み立て構造の断面図である。
【符号の説明】
１　リレー・コネクタ
２　外部接続装置
３　可動ラック
１１　中継コネクタ
１１ａ　信号区分
１１ｂ　信号ケーブル
１１ｃ　信号コネクタ
１２ａ　電源区分
１２ｂ　電力入力コネクタ
１２ｃ　電力入力コネクタ
１２ｄ　電力ケーブル
１３　耳
１３１　耳穴
２１　ハウジング
２２　後部パネル
２２１　貫通孔
３１　外部フレーム
３１１　中空チャンバ
３１２　後部パネル
３１３　溝穴
３２　エンクロージャ
３２２　貫通孔
【図１】
0003097777.tif 000003
【図２】
0003097777.tif 000004
【図３】
0003097777.tif 000005
【図４】
0003097777.tif 000006
【図５】
0003097777.tif 000007